(57)【要約】【課題】  簡単な構成により配管内におけるおからの閉塞を防止して、長時間の連続運転を可能とするおから搬送装置を提供する。【解決手段】  ロータリーバルブ３と、該ロータリーバルブ３下部に配管縮小部７を介して連通される配管４と、該配管４内に圧縮空気を供給する空気供給管４ａとを有しており、前記ロータリーバルブ３から排出されたおからを前記空気供給管４ａから噴出された圧縮空気により気送するおから搬送装置１であって、前記配管縮小部７は、気送されたおからの温度が４０℃以下となる位置に配置されていることを特徴とする。【選択図】    図１
2005119854.tif 000002
【特許請求の範囲】
【請求項１】
ロータリーバルブと、該ロータリーバルブ下部に配管縮小部を介して連通される配管と、該配管内に圧縮空気を供給する空気供給管とを有しており、前記ロータリーバルブから排出されたおからを前記空気供給管から噴出された圧縮空気により気送するおから搬送装置であって、
前記配管縮小部は、気送されたおからの温度が４０℃以下となる位置に配置されていることを特徴とするおから搬送装置。
【請求項２】
前記配管縮小部は、前記ロータリーバルブの出口から２メートル以上離れた位置に設置されていることを特徴とする請求項１記載のおから搬送装置。
【請求項３】
ロータリーバルブよりおからを排出し、該ロータリーバルブの下部に開口する空気供給管より圧縮空気を供給し、供給した圧縮空気によって該ロータリーバルブ下部に連通する配管縮小部及び配管を介しておからを気送するおから搬送装置であって、
おからの温度が４０℃となった後に該配管縮小部を通過させることを特徴とするおから搬送方法。    
【発明の詳細な説明】
【技術分野】
【０００１】
本発明は、おからをロータリーバルブより落とし、それを気送するおからの搬送装置に関する。
【背景技術】
【０００２】
周知のように、ホッパーより落下したおから等の粉体をロータリーバルブにより製造室内から屋外などへ輸送する際には、ブロワから供給される圧縮空気を用いて気送する搬送装置が用いられている。図２に示すように、この搬送装置１００は、ホッパー１０１と、ロータリーバルブ１０２と、配管１０３と、圧縮空気を矢印Ｂ方向に供給する空気供給管１０５と、この空気供給管１０５に圧縮空気を供給する図示しないブロワとから構成されており、ロータリーバルブ出口１０３ａ付近には、下流側(図２において配管１０３の右側)に向かうに従い漸次管径が狭まるように形成されたレデューサ１０４が形成されている。
【０００３】
また、別の搬送装置としては、配管に瞬時的に圧縮空気を供給して配管内に付着した粉体を強制的に払い落とすものが提案されている（例えば、特許文献１参照。）。
【特許文献１】特開平６−３４５２６４号公報（段落番号０００６、第１図）
【発明の開示】
【発明が解決しようとする課題】
【０００４】
しかし、この搬送装置１００は、例えば、水分率の低い乾燥おからであれば、問題なく気送することができる。しかし、水分率が６８〜７３％程度のおからである場合においては、ロータリーバルブ出口１０３ａのおからの温度は約６０℃であるため高い付着性を有しており、レデューサ１０４の管壁部１０４ａにおいておからが付着する。この付着したおからが、時間と共にさらに堆積して配管１０３を閉塞させるので、ブロワに負担がかかり、オーバーロードしてしまうなどの問題があった。そのため、この問題を解決するためレデューサ１０４に堆積したおからを頻繁に取り除く除去作業が必要となり、長時間の連続運転ができないという問題もあった。
【０００５】
また、上述した特許文献１記載の搬送装置においては、配管に付着した粉体を圧縮空気供給口から配管内に供給された圧縮空気により強制的に払い落とすものであったが、配管に圧縮空気を供給するための供給装置や、圧縮空気を輸送する２次配管などの施工が必要であり、搬送装置が大型化するとともに、高コスト化してしまうという問題があった。また、２次配管や圧縮空気供給口等のメンテナンスに手間がかかるという問題もあった。
【０００６】
この発明は、このような事情を考慮してなされたもので、その目的は、簡単な構成により配管内におけるおからの閉塞を防止して、長時間の連続運転を可能とするおから搬送装置を提供することにある。
【課題を解決するための手段】
【０００７】
上記目的を達成するために、この発明は以下の手段を提案している。
請求項１に係るおから搬送装置は、ロータリーバルブと、該ロータリーバルブ下部に配管縮小部を介して連通される配管と、該配管内に圧縮空気を供給する空気供給管とを有しており、前記ロータリーバルブから排出されたおからを前記空気供給管から噴出された圧縮空気により気送するおから搬送装置であって、前記配管縮小部は、気送されたおからの温度が４０℃以下となる位置に配置されていることを特徴とする。また、本発明に係るおから搬送方法は、ロータリーバルブよりおからを排出し、該ロータリーバルブの下部に開口する空気供給管より圧縮空気を供給し、供給した圧縮空気によって該ロータリーバルブ下部に連通する配管縮小部及び配管を介しておからを気送するおから搬送装置であって、
おからの温度が４０℃となった後に該配管縮小部を通過させることを特徴とする。
請求項２に係るおから搬送装置は、前記配管縮小部は、前記ロータリーバルブの出口から２メートル以上離れた位置に設置されていることを特徴とする。
【０００８】
この発明によれば、おからの温度が４０℃以下となる位置に配管縮小部を配置していることにより、おからが十分に冷えて付着力が低下するので、縮小部において堆積することがない。したがって、おからの堆積による配管の閉塞を防止でき、より長時間の連続運転が可能となる。また、この発明によれば、配管縮小部をロータリーバルブの出口より２メートル離れた位置に設置していることにより、おからが十分に冷めて付着力が低下するので、縮小部において堆積することがない。したがって、おからの堆積による配管の閉塞を防止でき、より長時間の連続運転が可能となる。
【発明の効果】
【０００９】
本発明によれば、気送されたおからの温度が４０℃以下となる位置に配管縮小部を配置していることにより、気送されたおからが配管縮小部に接触しても堆積することがないので、頻繁に配管縮小部のおから除去作業を行う必要がなく、長時間の連続運転が可能となる。除去作業を行う必要がないため、作業効率も向上させることができる。
【発明を実施するための最良の形態】
【００１０】
以下、図面を参照し、この発明の実施の形態であるおから搬送装置について説明する。
図１において、おから搬送装置１は、前述した図２に示すものと同様に、図示しないおから供給ラインからおからを供給されるホッパー２と、このホッパー２から供給されたおからを後述する配管４に移送するためのロータリーバルブ３と、このロータリーバルブ３より供給されたおからを気送する配管４と、配管４内に供給されたおからを下流側（図１において配管４の右側）に気送するために圧縮空気を供給する空気供給管４ａと、この空気供給管４ａに圧縮空気を供給する図示しないブロワとから概略構成されている。
配管４は、ロータリーバルブ３より供給されたおからを図示しないおから受部に気送するための気送ラインであり、ロータリーバルブ出口に設置された配管５と、フレキシブルホース６と、下流側に向かうに従い漸次管径が狭まるようにして形成されたレデューサ（配管縮小部）７と、図示しないおから受部に接続された下流側配管８とから概略構成されている。ここで、レデューサ７は、おからが４０℃以下となる位置に設置されている。配管５とレデューサ７との間には、両者を連通させるためのフレキシブルホース６が接続されている。
【００１１】
上記の構成からなるおから搬送装置１を用いておからの搬送を行う場合、はじめに、図示しないおから供給ラインよりホッパー２におからを供給する。このおからは、ホッパー２を介してロータリーバルブ３に供給され、このロータリーバルブ３内において、空気と混合されて、ロータリーバルブ３の下部に設置されている配管４に供給される。この配管４内には、空気供給管４ａを介して図示しないブロワから矢印Ａ方向に向けて圧縮空気が供給されており、これにより、おからは、配管４内のレデューサ７を通過して下流側に設置された図示しないおから受部に気送される。
【００１２】
ここで、気送されているおからは、ロータリーバルブ出口５において６０℃であるが、本発明者の検証の結果、４０℃以下に低下すると付着力が低下することがわかった。即ち、おからは、気送されている際にレデューサ７の管壁部７ａに接触するものであるが、おからの温度が４０℃以下となる位置にレデューサ７を設置することにより、おからが充分に冷まされて付着力が低下するので、おからの堆積を防止する。なお、レデューサをロータリーバルブ出口から２メートル以上離間した位置に設けてもよく、同様の効果を得ることができる。
【００１３】
上記の構成によれば、おからの温度が４０℃以下となる位置にレデューサを設けたことにより、おからが充分に冷まされて付着力が低下するので、管壁部７ａにおからが堆積することを防止できる。これにより、配管４の閉塞を防止することができるので、ブロワがオーバーフローすることがない。また、従来のように、堆積したおからを頻繁に取り除く必要がないので、長時間の連続運転が可能となる。また、構造が単純であり、従来の付着した粉体を強制的に取り除く搬送装置のように、追加の装置が必要でないので、低コスト化を実現することができる。
【実施例】
【００１４】
以下、この実施の形態に係る発明の実施例について説明する。なお、上記実施の形態と同一の符号については、説明を省略する。
この実施例においては、レデューサ７の位置をロータリーバルブ３の出口から３メートル離間した位置に設置した。ここで、配管６の外径は４インチであり、レデューサ７に縮小されて３インチとされている。ここで使用されるおからの水分率は、６８〜７３％であり、ロータリーバルブ３の出口温度は６０℃とされている。
この実施例におけるおから搬送装置１を用いておからの搬送を行った結果、レデューサ７におけるおからの閉塞が無くなり、運転開始から１０時間連続運転しても問題が無いことが確認できた。以上のことより、従来のように、レデューサをロータリーバルブ出口に設置した場合には、運転開始から４時間経過後に配管が閉塞していたことから、格段に長時間運転を実現することができるようになった。
【図面の簡単な説明】
【００１５】
【図１】この発明の一実施形態に係るおから搬送装置の概略構成図である。
【図２】従来のおから搬送装置を示す概略構成図である。
【符号の説明】
【００１６】
１    おから搬送装置
３    ロータリーバルブ
４    配管
４ａ  空気供給管
７    配管縮小部（レデューサ）
【図１】
2005119854.tif 000003
【図２】
2005119854.tif 000004